(57)【要約】      （修正有）【課題】患者の皮膚を傷めることなく、またカニューレの固定を確実に行うことができるカニューレホルダーを提供する。【解決手段】２つの第１の接着部材２、２はバンド本体１の長手方向の端側にそれぞれ取り付けられ、そのバンド本体１側の一端部と反対の他端部２２がカニューレホルダー６０の側部を通って患者の皮膚にあたらずに折り返されてバンド本体１側に固定された一端部に着脱可能に接着される。【選択図】図１
0003171653.tif 000002
【実用新案登録請求の範囲】
【請求項１】
気管切開術により患者の頸部に形成された気管切開孔に挿入されるカニューレを固定保持するカニューレホルダーに用いられる固定バンドであって、
人体の皮膚に当たっても不快を感じさせない生地でつくられ、患者の頸を回る長さを有するように帯状に伸びるバンド本体と、
前記バンド本体の長手方向の端側にそれぞれ取り付けられる接着部材であって、その前記バンド本体側の一端部と反対の他端部が前記カニューレホルダーの側部を通って患者の皮膚にあたらずに折り返されて前記バンド本体側に固定された前記一端部に着脱可能に接着される２つの第１の接着部材と、
を備えていることを特徴とするカニューレホルダー用固定バンド。
【請求項２】
前記第１の接着部材の前記一端部がそれぞれ前記バンド本体の端部にそれぞれ接合されることを特徴とする請求項１に記載のカニューレホルダー用固定バンド。
【請求項３】
更に、人体の皮膚に当たっても不快を感じさせない生地でつくられる２つの平面パッドを有し、
前記平面パッドの一端部がそれぞれ前記バンド本体の対応する端部に取り付けられ、前記バンド本体と一体に接続され、
前記第１の接着部材の一端部がそれぞれ対応する前記平面パッドに固定され、他端部が前記カニューレホルダーの対応する側部を通って、前記第１の接着部材が患者の皮膚に当たらずに前記カニューレホルダーの側部が前記平面パッドに重なるように折り返されることを特徴とする請求項１に記載のカニューレホルダー用固定バンド。
【請求項４】
第１の接着部材の一端部がそれぞれ対応する前記平面パッドの一端部に固定され、他端部が前記カニューレホルダーの対応する側部を通って、前記カニューレホルダーの側部が前記平面パッドの長手方向の横幅の半分及び前記平面パッドの前記バンド本体との連結端縁より該横幅の三分の一に至る箇所、且つ、前記平面パッドの最大縦幅のある箇所において前記平面パッドに重なるように折り返されることを特徴とする請求項３に記載のカニューレホルダー用固定バンド。
【請求項５】
前記平面パッドの周縁部が丸く形成されることを特徴とする請求項３又は４に記載のカニューレホルダー用固定バンド。
【請求項６】
前記バンド本体は、連結されて帯状の前記バンド本体に形成される２つ以上のサブバンドからなることを特徴とする請求項１〜５のいずれかの項に記載のカニューレホルダー用固定バンド。
【請求項７】
前記サブバンドを２つ有し、
更に、２つの前記サブバンドにそれぞれ設けられる２つの第２の接着部材を有し、
前記第２の接着部材の一端部がそれぞれ前記サブバンドに取り付けられ、他端部が前記平面パッドに取り付けられ、
前記第１の接着部材の折り返された他端部が、前記第１の接着部材の一端部と共に前記第２の接着部材の他端部に着脱可能に接着されることを特徴とする請求項６に記載のカニューレホルダー用固定バンド。
【請求項８】
２つの前記サブバンドにおける一方のサブバンドの他方のサブバンドと連結する端部に第３の接着部材が取り付けられ、他方のサブバンドの連結する端部に前記第３の接着部材と着脱可能に接着される第４の接着部材が取り付けられることを特徴とする請求項７に記載のカニューレホルダー用固定バンド。
【請求項９】
前記一方のサブバンドにおいて前記第２の接着部材と前記第３の接着部材とは一体につながるように構成されることを特徴とする請求項８に記載のカニューレホルダー用固定バンド。
【請求項１０】
少なくとも１つの前記サブバンドは、伸縮性のある弾性バンドであることを特徴とする請求項６〜９のいずれかの一項に記載のカニューレホルダー用固定バンド。
【考案の詳細な説明】
【技術分野】
【０００１】
本考案は、気管切開術により患者の前頸部に形成された気管切開孔に挿入されるカニューレを保持するカニューレホルダーに用いられる固定バンドに関する。
【背景技術】
【０００２】
従来より、図４に示すように上気道に閉塞した患者や長期に人工呼吸器を使用する患者に対して、上気道の状態に関わらず確実な換気が得られるよう、気管切開術により患者の前頸部に気管切開孔を形成し、気道を確保するためのカニューレ８を該気管切開孔に挿入することがなされる。当該カニューレ８が気管切開孔から抜けないようにするため、例えば図４に示されたカニューレホルダー９が用いられている。カニューレホルダー９は、所定箇所に固定保持されるよう患者の頸を回る長さを有するバンド９１が用いられ、該バンド９１の両端部９１１、９１１にワンタッチ式接着部材９２、９２が取り付けられ、各接着部材９２、９２の一端部９２１、９２１がバンド９１の対応する端部にそれぞれ固定され、カニューレホルダー９の保持フレーム９０の両側部に設けられた穴９０１、９０１に他端側の自由端部９２２、９２２を通して折り返して固定端部９２１、９２１に貼り付けるようにしてカニューレ８を所定箇所に固定保持することができる。
【考案の概要】
【考案が解決しようとする課題】
【０００３】
従来のカニューレホルダー９では、接着部材９２、９２の自由端部９２２、９２２側の一部が患者の皮膚を擦り、長期にわたると擦り傷や皮膚炎症を起こすなどの問題点がある。
【０００４】
本考案は、患者の皮膚を傷めることなく、またカニューレの固定を確実に行うことができるカニューレホルダーに用いられる固定バンドを提供することを目的とする。
【課題を解決するための手段】
【０００５】
上記目的を達成するために、本考案は、
気管切開術により患者の頸部に形成された気管切開孔に挿入されるカニューレを固定保持するカニューレホルダーに用いられる固定バンドであって、
人体の皮膚に当たっても不快を感じさせない生地でつくられ、患者の頸を回る長さを有するように帯状に伸びるバンド本体と、
前記バンド本体の長手方向の端側にそれぞれ取り付けられる接着部材であって、その前記バンド本体側の一端部と反対の他端部が前記カニューレホルダーの側部を通って患者の皮膚にあたらずに折り返されて前記バンド本体側に固定された前記一端部に着脱可能に接着される２つの第１の接着部材と、
を備えていることを特徴とするカニューレホルダー用固定バンドを提供する。
【０００６】
本考案に係る固定バンドにおいて、前記第１の接着部材の前記一端部がそれぞれ前記バンド本体の対応する端部に接合されることが好ましい。
【０００７】
本考案に係る固定バンドにおいて、更に、人体の皮膚に当たっても不快を感じさせない生地でつくられる２つの平面パッドを有し、前記平面パッドの一端部がそれぞれ前記バンド本体の対応する端部に取り付けられて前記バンド本体と一体に接続され、前記第１の接着部材の一端部がそれぞれ対応する前記平面パッドに固定され、他端部が前記カニューレホルダーの対応する側部を通って、前記第１の接着部材が患者の皮膚に当たらずに前記カニューレホルダーの側部が前記平面パッドに重なるように折り返されて前記固定された一端部に着脱可能に接着されることが好ましい。
【０００８】
本考案に係る固定バンドにおいて、第１の接着部材の一端部がそれぞれ対応する前記平面パッドの一端部に固定され、他端部が前記カニューレホルダーの対応する側部を通って、前記カニューレホルダーの側部が前記平面パッドの長手方向の横幅の半分及び前記平面パッドの前記バンド本体との連結端縁より該横幅の三分の一に至る箇所、且つ、前記平面パッドの最大縦幅のある箇所において前記平面パッドに重なるように折り返されることが好ましい。
【０００９】
本考案に係る固定バンドにおいて、前記平面パッドの周縁部が丸く形成されることが好ましい。
本考案に係る固定バンドにおいて、前記バンド本体は、連結されて帯状の前記バンド本体に形成される２つ以上のサブバンドからなることが好ましい。
【００１０】
本考案に係る固定バンドにおいて、前記サブバンドを２つ有し、更に、２つの前記サブバンドにそれぞれ設けられる２つの第２の接着部材を有し、前記第２の接着部材の一端部がそれぞれ前記サブバンドに取り付けられ、他端部が前記平面パッドに取り付けられ、前記第１の接着部材の折り返された他端部が、前記第１の接着部材の一端部と共に前記第２の接着部材の他端部に着脱可能に接着されることが好ましい。
【００１１】
本考案に係る固定バンドにおいて、２つの前記サブバンドにおける一方のサブバンドの他方のサブバンドと連結する端部に第３の接着部材が取り付けられ、他方のサブバンドの連結する端部に前記第３の接着部材と着脱可能に接着される第４の接着部材が取り付けられることが好ましい。
【００１２】
本考案に係る固定バンドにおいて、前記一方のサブバンドにおいて前記第２の接着部材と前記第３の接着部材とは一体につながるように構成されることが好ましい。
本考案に係る固定バンドにおいて、少なくとも１つの前記サブバンドは、伸縮性のある弾性バンドであることが好ましい。
【考案の効果】
【００１３】
本考案に係る固定バンドは、以上の構成によれば、第１の接着部材の他端部が前記カニューレホルダーの対応する側部を通って折り返されて、患者の皮膚にあたらないように該第１の接着部材の前記バンド本体に接着された一端部に着脱可能に接着されるので、第１の接着部材が患者の皮膚を擦ることによる擦り傷や皮膚炎症を起こすなどの問題点を解消できる効果を奏することができる。
【図面の簡単な説明】
【００１４】
【図１】本考案の一実施形態に係るカニューレホルダーに用いられる固定バンドの斜視図である。
【図２】図１のカニューレホルダー用固定バンドの分解斜視図である。
【図３】図１の平面図である。
【図４】現在市販されている固定バンドの使用参考図である。
【考案を実施するための形態】
【００１５】
以下、図面を参照して本考案の一実施形態に係るカニューレホルダーに用いられる固定バンドについて説明する。図１は、本考案の一実施形態に係るカニューレホルダーに用いられる固定バンドの斜視図、図２は、図１のカニューレホルダー用固定バンドの分解斜視図、図３は、図１の平面図である。
【００１６】
本考案に係る固定バンド１００は、気管切開術により患者７の頸部に形成された気管切開孔（図示せず）に挿入されるカニューレ６を支持定位するカニューレホルダーに用いられるもので、概ね患者の頸を回る長さを有するバンド本体１と、該バンド本体１のカニューレ６の端側に取り付けられた２つの第１の接着部材２、２とを備えている。なお、カニューレホルダーはやや細長いフレーム６０を有し、該フレーム６０の真ん中にカニューレ６が通されて保持され、その両側部６１、６１に第１の接着部材２、２を通す穴が設けられている。
【００１７】
バンド本体１は、人体の皮膚に触っても不快を感じさせない生地、例えば布地で帯状に作られる。なお、バンド本体１としては、１本でもよく、何本でつながって作られてもよく、この形態において２本のサブバンド１１、１１からなるとする。
【００１８】
２つの第１の接着部材２、２は、バンド本体１の長手方向に沿って伸びる接合自在な接着部材、例えばワンタッチ式接合テープを用い、バンド本体１のカニューレ６寄りの２つの端部１０３、１０３にそれぞれ取り付けている。第１の接着部材２、２のそれぞれの一端部２１、２１がバンド本体１の端側に固定されると共に、第１の接着部材２、２の他端部２２、２２が患者の皮膚にあたらずに該フレーム６０の側部６１、６１に設けられた穴を通って折り返されて第１の接着部材２、２の一端部２１、２１に対応して着脱可能に接合される。なお、この形態において、前記第１の接着部材２の他端部２２がフレーム６０の穴を通って、バンド本体１の少なくとも端縁がフレーム６０の両側縁と接触する、より好ましくはバンド本体１の両端部外面にフレーム６０の対応端部が重なるように折返されることが好ましい。
【００１９】
この形態において、バンド本体１は、互いにつながって一本に形成される複数、例えば２本のサブバンド１１、１１を有する。なお、サブバンド１１としては、１本でもよく、何本でつながってもよい。また、サブバンド１１における１つ又は１つ以上としては、伸縮性のある弾性バンドであることが好ましい。
【００２０】
サブバンド１１、１１のそれぞれの外面１０２、１０２に第２の接着部材３、３が取り付けられている。第２の接着部材３、３のそれぞれの一端部３１、３１がサブバンド１１、１１の外面に固定され、第２の接着部材３、３の他端部３２、３２がそれぞれ第１の接着部材２の一端部２１、２１と連結されるように取り付けられる。
【００２１】
この形態において、更に、人体の皮膚に当たっても不快を感じさせない生地、例えば布地でつくられる２つの平面パッド１２、１２を有する。平面パッド１２、１２は、バンド本体１の両端側に取り付けられてバンド本体１即ちサブバンド１１、１１の端部１０３、１０３と例えば縫い合わせるなどにより一体に接続される。また、平面パッド１２、１２の周縁部が尖らずに丸く形成されることが好ましい。
【００２２】
バンド本体１の両端部１０３、１０３に平面パッド１２、１２が連結され、第１の接着部材２の一端部２１、２１が平面パッド１２、１２の一端部１２１、１２１の外面に取り付けられると共に、平面パッド１２、１２が患者の前頸部側に位置すると共にフレーム６０の両側部６１，６１が平面パッド１２、１２の上に重なるように、第１の接着部材の他端部２２がフレーム６０の両側の穴を通って折り返されて第１の接着部材２の一端部２１、２１又は／及び第２の接着部材３の他端部３２、３２に着脱可能に接合される。
【００２３】
第２の接着部材３、３の一端部３１、３１がそれぞれ対応するサブバンド１１、１１に取り付けられ連結され、またそれぞれの他端部３２、３２がそれぞれ第１の接着部材２、２のそれぞれの一端部２１、２１と一体に接続されて、平面パッド１２、１２に取り付けられている。
【００２４】
また、サブバンド１１、１１における一方のサブバンド１１の他方のサブバンド１１と連結される連結端部１１１に第３の接着部材４が取り付けられ、他方のサブバンド１１の連結端部１１１の患者側の内面１０１に第３の接着部材４と着脱可能に接着される第４の接着部材５が取り付けられている。
【００２５】
この形態において、一方のサブバンド１１において第３の接着部材４が帯状に延びて第２の接着部材３と一体につながるように一本の接着部材を用いると、製造工数の低減を図ることができる。
【００２６】
この形態において、第１の接着部材２としては、例えば、接合自在なワンタッチ式接合テープで、その一部が第２の接着部材３と着脱可能に構成される接着部材が用いられる。一例として、第１の接着部材２の一部としては例えばかぎ状の表面をもつ面ファスナーを用いるとき、第２の接着部材３としては、例えばループ状の表面をもつ面ファスナーを用いる。第２の接着部材３はループ状の表面をもつ面ファスナーを用いるとき、第３の接着部材４としては、第２の接着部材３と一体につながるループ状の表面をもつ面ファスナーを用いると良い。第３の接着部材４としては、ループ状の表面をもつ面ファスナーを用いるとき、第４の接着部材５としては、かぎ状の表面をもつ面ファスナーを用いると良い。
【００２７】
なお、この形態において、カニューレホルダーの装着時の快適さを上げるために、平面パッド１２の長手方向と垂直の縦幅Ｗ２としてはサブバンド１１の縦幅Ｗ１よりも大きいことが好ましい。
【００２８】
この形態において、第１の接着部材２としては、バンド本体１の両端縁がカニューレ６を保持するフレーム６０の両側縁と接触するまで、第１の接着部材２の他端部２２が該フレーム６０の側部６１、６１に設けられた穴を通って折り返されて、患者の皮膚に当たらずに該一端部２１に貼り付けられるようにすればよく、より好ましくは、第１の接着部材２としては、平面パッド１２の横幅Ｌの半分及び平面パッド１２のサブバンド１１との連結端縁より該横幅Ｌの三分の一に至る箇所、且つ、平面パッド１２の縦幅Ｗ２における最大縦幅がある箇所において、フレーム６０の側部６１が平面パッド１２に重なるように他端部２２をフレーム６０の両側の穴に通して折り返されることが好ましい。
【００２９】
以上の説明により、本考案に係るカニューレホルダー１００は、第１の接着部材２のカニューレホルダー側の他端部２２、２２がカニューレホルダーの対応する側部を通って折り返されるとき、折り返し箇所Ａ、Ａがバンド本体１の端部１０３、１０３の縁からはみ出ず、即ち患者の皮膚にあたらないように、該第１の接着部材２の他端部２２、２２が固定された一端部２１に着脱可能に接着されるようにすると、第１の接着部材２が患者の皮膚を擦り、長期にわたると擦り傷や皮膚炎症を起こすなどの問題点を解消できる効果を奏することができる。
【００３０】
また、更にバンド本体１の端部１０３、１０３に平面パッド１２、１２が取り付けられて、平面パッド１２、１２に第１の接着部材２の端部２１、２１がそれぞれ対応して固定されると、第１の接着部材２を折る間も患者の皮膚を当たらずに済むので、快適さをより一層高めることができる。
【産業上の利用可能性】
【００３１】
本考案に係る固定バンドは、例えばカニューレなどの患者皮膚に触る医療器具を所定箇所に固定保持する固定バンドとして有用である。
【符号の説明】
【００３２】
１００  固定バンド
１  バンド本体
１０１  内面
１０２  外面
１０３  端部
１１  サブバンド
１１１  連結端部
１２  平面パッド
１２１  一端部
２  第１の接着部材
２１  一端部
２２  他端部
３  第２の接着部材
３１  一端部
３２  他端部
４  第３の接着部材
５  第４の接着部材
６  カニューレ
６０  フレーム
６１  側部
７  患者
Ｌ  平面パッドの横幅
Ｗ１  サブバンドの縦幅
Ｗ２  平面パッドの縦幅
【図１】
0003171653.tif 000003
【図２】
0003171653.tif 000004
【図３】
0003171653.tif 000005
【図４】
0003171653.tif 000006